(57)【特許請求の範囲】
【請求項１】
ＳＴＭ網から入力される音声帯域信号およびＩＳＤＮディジタル信号をＡＴＭセル化してＡＴＭ網に転送し、ＡＴＭ網からのＡＴＭセルをＳＴＭ信号に変換してＳＴＭ網に転送するＡＴＭ音声帯域信号およびＩＳＤＮディジタル信号の転送方式であって、
ＳＴＭ網から入力された信号の無音情報を検出する無音検出手段と、
ＳＴＭ網からの信号が音声帯域信号であるかまたはＩＳＤＮディジタル信号であるかを判定するとともに、音声帯域信号であると識別した場合には該音声帯域信号の信号種別を判定する信号種別判定手段と、
前記無音検出手段で検出した無音情報および前記信号種別判定手段で判定した信号種別を用いてＳＴＭ網からの信号の圧縮方式を動的に変更し、この圧縮方式で前記信号を圧縮する信号圧縮手段と、
前記無音検出手段からの無音情報および前記信号種別判定手段からの信号種別情報を使用して、前記信号圧縮手段で圧縮された信号をＡＴＭセル長より短い可変長パケットにパケット化するパケット化手段と、
複数の該パケット化手段で生成されたパケットを多重してＡＴＭセルを形成し、該ＡＴＭセルをＡＴＭ網に転送するＡＴＭセル化手段と、
ＡＴＭ網からのＡＴＭセルを受信し、該ＡＴＭセルを分解してパケットを生成するＡＴＭセル分解手段と、
該ＡＴＭセル分解手段で生成されたパケットから信号を生成するデパケット化手段と、
該デパケット化手段で生成された信号の信号圧縮方式を判定する信号圧縮方式判定手段と、
該信号圧縮方式判定手段で判定された信号圧縮方式で前記信号を復元する信号圧縮復元手段と、
該信号圧縮復元手段で復元された信号に無音を再生して、ＳＴＭ信号を生成し、ＳＴＭ網に転送する無音再生手段と
を有することを特徴とするＡＴＭ音声帯域信号およびＩＳＤＮディジタル信号の転送方式。
【請求項２】
前記信号圧縮方式判定手段は、前記可変長パケットのパケット長に基づいて前記パケットの信号圧縮方式を判別する手段を有することを特徴とする請求項１記載のＡＴＭ音声帯域信号およびＩＳＤＮディジタル信号の転送方式。
【請求項３】
前記ＡＴＭセル化手段は、ＳＴＭ網から入力される回線群を基にＡＴＭコネクションへの多重化を行うことを特徴とする請求項１記載のＡＴＭ音声帯域信号およびＩＳＤＮディジタル信号の転送方式。
【請求項４】
前記ＡＴＭセル化手段は、ＳＴＭ網から入力される信号を前記信号種別判定手段で判定した信号種別を基にＡＴＭコネクションへの多重化を行うことを特徴とする請求項１記載のＡＴＭ音声帯域信号およびＩＳＤＮディジタル信号の転送方式。
【請求項５】
前記ＡＴＭ網に転送する送信側において、前記パケット化手段は、前記無音検出手段で検出した無音区間を削減し、有音区間のみをパケット化して前記ＡＴＭセル化手段に送出するとともに、この送出においてはパケットのヘッダに０から７のシーケンスカウンタを使用し、有音区間の最初のパケットには０を使用し、その後の連続するパケットには１から７を繰り返し使用し、この１から７は無音区間が発生するまで継続し、無音区間が発生した場合は、シーケンスカウンタをリセットし、次の有音区間の最初のパケットには０を使用し、また１から７の繰り返しで使用し、
前記ＡＴＭセルの受信側には、無音区間が削除され、有音区間のみがパケット化されて送られ、ＡＴＭセル内のパケットの受信処理においては該パケットのヘッダ内にあるシーケンスカウンタ値を検出し、該シーケンスカウンタ値が０の場合には、有音区間の最初のパケットであることを検出し、シーケンスカウンタ値が１から７の繰り返しである場合には、有音区間の連続状態であることを検出することにより、有音区間の最初のパケットの検出および連続する有音のパケットが送信から受信の間に損失した場合にその損失したことを検出するとともに、この損失したパケットの数を検出することを特徴とする請求項１記載のＡＴＭ音声帯域信号およびＩＳＤＮディジタル信号の転送方式。
【請求項６】
前記ＡＴＭセル化手段は、１つのＡＴＭコネクションに多重化してＡＴＭ網に転送する場合に、この多重する対象としてＳＴＭ入力回線単位および信号圧縮方式単位での多重化を含むＡＴＭコネクションへの多重化方法を複数有し、この複数の多重化方法を変更し得ることを特徴とする請求項１記載のＡＴＭ音声帯域信号およびＩＳＤＮディジタル信号の転送方式。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ）網とＳＴＭ（Ｓｙｎｃｈｒｏｎｏｕｓ  Ｔｒａｎｓｆｅｒ  Ｍｏｄｅ  ）網との接続点に設けられ、ＳＴＭ網から入力される音声帯域信号およびＩＳＤＮディジタル信号をＡＴＭセル化してＡＴＭ網に転送し、ＡＴＭ網からのＡＴＭセルをＳＴＭ信号に変換してＳＴＭ網に転送するＡＴＭ音声帯域信号およびＩＳＤＮディジタル信号の転送方式に関し、更に詳しくは、ＳＴＭ網からＡＴＭ網へ入力される音声、ＦＡＸ、音声帯域データおよびＩＳＤＮディジタル信号に対して通信に要する伝送路帯域を削減し、ＡＴＭセル化の遅延時間を低減するＡＴＭ音声帯域信号およびＩＳＤＮディジタル信号の転送方式に関する。
【０００２】
【従来の技術】
従来のＳＴＭ網では、通信の有無に関わらず、常に伝送路上に信号を送出しており、不要な信号が伝送路上を占有しており、伝送路帯域の効率的な利用ができない。また、音声帯域信号は有効信号を転送する際に、必ずしも１回線分の伝送路帯域を必要としない信号に対しても、常に一定の伝送路帯域を占有しており、伝送路の効率的な利用ができないということがある。
【０００３】
更に、ＳＴＭ網では、信号の圧縮を用いる場合にも圧縮方式が固定であったり、圧縮後の複数の信号の多重が事前に固定された入力回線群を単位としている。音声圧縮設備であるＤＣＭＥ（ディジタル回線多重化装置）は、圧縮された信号を受信した際に、その受信した信号の種別を判別することができないため、送受のＤＣＭＥ間で常時設備間通信を実施し、相互に同期を取る必要がある。
【０００４】
【発明が解決しようとする課題】
上述したように、従来は、圧縮後の信号は事前に固定された回線群単位での多重しかできなく、送出する網も同一の網になり、網からの品質が信号種別によらず同じであり、信号種別単位の通信ができなかったり、信号種別毎に要求品質に適した網への転送ができないという問題がある。
【０００５】
複数の圧縮方式を用いて、送信側で１つの通信呼に対して動的に圧縮方式を変更した際に、受信側では、受信した信号に適用されている圧縮方式を認識するために、送信側設備と受信側設備間にて常時制御用の通信を必要とするとともに、また設備間で同期を取る必要があり、そのための伝送帯域を必要とする。
【０００６】
本発明は、上記に鑑みてなされたもので、その目的とするところは、ＳＴＭ網からＡＴＭ網に入力される音声、ＦＡＸ、音声帯域データおよびＩＳＤＮディジタル信号に対して通信に要する伝送路帯域を削減し、ＡＴＭセル化遅延時間を低減し得るＡＴＭ音声帯域信号およびＩＳＤＮディジタル信号の転送方式を提供することにある。
【０００７】
【課題を解決するための手段】
上記目的を達成するため、請求項１記載の本発明は、ＳＴＭ網から入力される音声帯域信号およびＩＳＤＮディジタル信号をＡＴＭセル化してＡＴＭ網に転送し、ＡＴＭ網からのＡＴＭセルをＳＴＭ信号に変換してＳＴＭ網に転送するＡＴＭ音声帯域信号およびＩＳＤＮディジタル信号の転送方式であって、ＳＴＭ網から入力された信号の無音情報を検出する無音検出手段と、ＳＴＭ網からの信号が音声帯域信号であるかまたはＩＳＤＮディジタル信号であるかを判定するとともに、音声帯域信号であると識別した場合には該音声帯域信号の信号種別を判定する信号種別判定手段と、前記無音検出手段で検出した無音情報および前記信号種別判定手段で判定した信号種別を用いてＳＴＭ網からの信号の圧縮方式を動的に変更し、この圧縮方式で前記信号を圧縮する信号圧縮手段と、前記無音検出手段からの無音情報および前記信号種別判定手段からの信号種別情報を使用して、前記信号圧縮手段で圧縮された信号をＡＴＭセル長より短い可変長パケットにパケット化するパケット化手段と、複数の該パケット化手段で生成されたパケットを多重してＡＴＭセルを形成し、該ＡＴＭセルをＡＴＭ網に転送するＡＴＭセル化手段と、ＡＴＭ網からのＡＴＭセルを受信し、該ＡＴＭセルを分解してパケットを生成するＡＴＭセル分解手段と、該ＡＴＭセル分解手段で生成されたパケットから信号を生成するデパケット化手段と、該デパケット化手段で生成された信号の信号圧縮方式を判定する信号圧縮方式判定手段と、該信号圧縮方式判定手段で判定された信号圧縮方式で前記信号を復元する信号圧縮復元手段と、該信号圧縮復元手段で復元された信号に無音を再生して、ＳＴＭ信号を生成し、ＳＴＭ網に転送する無音再生手段とを有することを要旨とする。
【０００８】
請求項１記載の本発明にあっては、送信側のＡＴＭセル多重においてＳＴＭ網から入力された信号に対し、信号種別判定結果をＡＴＭセル多重化手段に通知し、この通知された信号種別毎にＡＴＭセルに多重するため、入力信号種別毎に多重を可能とし、信号種別毎に品質が異なるＳＴＭ信号をＡＴＭ網内にて品質等が同一の入力信号のみを多重した１つのＡＴＭコネクションとして扱うことができる。
【０００９】
また、請求項２記載の本発明は、請求項１記載の発明において、前記信号圧縮方式判定手段が、前記可変長パケットのパケット長に基づいて前記パケットの信号圧縮方式を判別する手段を有することを要旨とする。
【００１０】
請求項２記載の本発明にあっては、ＡＴＭ網から受信したＡＴＭセル内の可変長パケットのパケット長に基づいて送信側で適用された信号圧縮方式を判別するため、予め可変長パケットのパケット長と信号圧縮方式とを対応させることにより、送信側の設備が適用した信号圧縮方式を判別することができる。従って、ＡＴＭセル内に信号圧縮方式を識別するための識別子が不要となり、ＡＴＭセル内のペイロード使用効率を向上することができる。
【００１１】
更に、請求項３記載の本発明は、請求項１記載の発明において、前記ＡＴＭセル化手段が、ＳＴＭ網から入力される回線群を基にＡＴＭコネクションへの多重化を行うことを要旨とする。
【００１２】
請求項３記載の本発明にあっては、ＳＴＭ網から入力される回線群を基にＡＴＭコネクションへの多重化を行う。
【００１３】
請求項４記載の本発明は、請求項１記載の発明において、前記ＡＴＭセル化手段が、ＳＴＭ網から入力される信号を前記信号種別判定手段で判定した信号種別を基にＡＴＭコネクションへの多重化を行うことを要旨とする。
【００１４】
請求項４記載の本発明にあっては、ＳＴＭ網から入力される信号を信号種別判定手段で判定した信号種別を基にＡＴＭコネクションへの多重化を行う。
【００１５】
また、請求項５記載の本発明は、請求項１記載の発明において、前記ＡＴＭ網に転送する送信側において、前記パケット化手段が、前記無音検出手段で検出した無音区間を削減し、有音区間のみをパケット化して前記ＡＴＭセル化手段に送出するとともに、この送出においてはパケットのヘッダに０から７のシーケンスカウンタを使用し、有音区間の最初のパケットには０を使用し、その後の連続するパケットには１から７を繰り返し使用し、この１から７は無音区間が発生するまで継続し、無音区間が発生した場合は、シーケンスカウンタをリセットし、次の有音区間の最初のパケットには０を使用し、また１から７の繰り返しで使用し、前記ＡＴＭセルの受信側には、無音区間が削除され、有音区間のみがパケット化されて送られ、ＡＴＭセル内のパケットの受信処理においては該パケットのヘッダ内にあるシーケンスカウンタ値を検出し、該シーケンスカウンタ値が０の場合には、有音区間の最初のパケットであることを検出し、シーケンスカウンタ値が１から７の繰り返しである場合には、有音区間の連続状態であることを検出することにより、有音区間の最初のパケットの検出および連続する有音のパケットが送信から受信の間に損失した場合にその損失したことを検出するとともに、この損失したパケットの数を検出することを要旨とする。
【００１６】
請求項５記載の本発明にあっては、送信側ではパケットのヘッダに０から７のシーケンスカウンタを使用し、有音区間の最初のパケットには０を使用し、その後の連続するパケットには１から７を繰り返し使用し、この１から７は無音区間が発生するまで継続し、無音区間が発生した場合は、シーケンスカウンタをリセットし、受信側ではパケットのヘッダ内にあるシーケンスカウンタ値を検出して、有音区間の最初のパケットの検出および連続する有音のパケットが送信から受信の間に損失した場合にその損失したことの検出、この損失したパケットの数の検出を行う。
【００１７】
更に、請求項６記載の本発明は、請求項１記載の発明において、前記ＡＴＭセル化手段が、１つのＡＴＭコネクションに多重化してＡＴＭ網に転送する場合に、この多重する対象としてＳＴＭ入力回線単位および信号圧縮方式単位での多重化を含むＡＴＭコネクションへの多重化方法を複数有し、この複数の多重化方法を変更し得ることを要旨とする。
【００１８】
請求項６記載の本発明にあっては、ＳＴＭ入力回線単位および信号圧縮方式単位での多重化を含むＡＴＭコネクションへの多重化方法を複数有し、この複数の多重化方法を自由に変更することができる。
【００１９】
【発明の実施の形態】
以下、図面を用いて本発明の実施の形態について説明する。
【００２０】
図１および図２は、それぞれ本発明の一実施形態に係るＡＴＭ音声帯域信号およびＩＳＤＮディジタル信号の転送方式を適用した送信側装置および受信側装置の構成を示すブロック図である。更に詳しくは、図１に示す送信側装置は、ＳＴＭ網から入力される音声、ＦＡＸ、音声帯域データからなる音声帯域信号およびＩＳＤＮディジタル信号等からなる種々の信号をＡＴＭセル化してＡＴＭ網に転送し、図２に示す受信側装置は、送信側装置から転送されたＡＴＭ網からのＡＴＭセルを受信し、このＡＴＭセルを音声、ＦＡＸ、音声帯域データからなる音声帯域信号およびＩＳＤＮディジタル信号等からなるＳＴＭ信号に変換してＳＴＭ網に転送するように構成されている。
【００２１】
送信側装置は、図１に示すように、信号処理機能部１とデータ処理機能部３から構成され、信号処理機能部１は、ＳＴＭ網から入力された信号の無音情報を検出する無音検出部１１、ＳＴＭ網からの信号が音声帯域信号であるかまたはＩＳＤＮディジタル信号であるかを判定するとともに、音声帯域信号であると識別した場合には該音声帯域信号の信号種別を判定する信号種別判定部１２、無音検出部１１で検出した無音情報および信号種別判定部１２で判定した信号種別情報を用いてＳＴＭ網からの信号の圧縮方式を最適な圧縮方式に通信の途中で動的に変更し、この圧縮方式で前記信号を圧縮する信号圧縮部１３を有する。
【００２２】
また、データ処理機能部３は、無音検出部１１からの無音情報および信号種別判定部１２からの信号種別情報を使用して、信号圧縮部１３で圧縮された信号をＡＴＭセル長より短い可変長パケットである例えばＡＡＬ２パケット等のショートパケットにパケット化するパケット化部１４、および複数のパケット化部１４で生成されたパケットでＡＴＭセルを形成し、該ＡＴＭセルを複数束ねて１つのＡＴＭコネクションに多重化してＡＴＭ網に転送するＡＴＭセル化部１５を有する。
【００２３】
受信側装置は、図２に示すように、データ処理機能部５と信号処理機能部７を有し、データ処理機能部５は、図１の送信側装置からＡＴＭ網に転送され、ＡＴＭ網から入力されるＡＴＭセルを受信し、該ＡＴＭセルを分解してパケットを生成するＡＴＭセル分解部２１、該ＡＴＭセル分解部２１で生成されたパケットから信号を生成するデパケット化部２２、および該デパケット化部２２で生成された信号の信号圧縮方式を判定する信号圧縮方式判定部２３を有する。
【００２４】
また、信号処理機能部７は、該信号圧縮方式判定部２３で判定された信号圧縮方式で前記信号を復元する信号圧縮復元部２４、および該信号圧縮復元部２４で復元された信号に無音を再生して、ＳＴＭ信号を生成し、ＳＴＭ網に転送する無音再生部２５を有する。
【００２５】
送信側装置の信号圧縮部１３は、複数の信号圧縮部１３ａ，１３ｂ，１３ｃ，１３ｄ，１３ｅを有し、これらの各信号圧縮部１３ａ〜１３ｅはそれぞれＡＤＰＣＭ方式、ＬＤ−ＣＥＬＰ方式、ＣＳ−ＡＣＥＬＰ方式、Ｍｏｄｅｍ復調方式、ＰＣＭ方式の信号圧縮方式を使用して信号の圧縮を行うようになっている。ＡＤＰＣＭ方式は６４ｋｂｉｔ／ｓを３２ｋｂｉｔ／ｓに圧縮し、ＬＤ−ＣＥＬＰ方式は１６ｋｂｉｔ／ｓに圧縮し、ＣＳ−ＡＣＥＬＰ方式は８ｋｂｉｔ／ｓに圧縮し、Ｍｏｄｅｍ復調方式はＦＡＸ用であり、ＦＡＸは圧縮すると、受信側で正常に再生できないので、変調を行い、受信側で復調を行うものであり、ＰＣＭ方式は６４ｋｂｉｔ／ｓをそのままスルーで通過させるものである。
【００２６】
パケット化部１４は、信号圧縮部１３ａ，１３ｂ，１３ｃ，１３ｄからのＡＤＰＣＭ方式、ＬＤ−ＣＥＬＰ方式、ＣＳ−ＡＣＥＬＰ方式、Ｍｏｄｅｍ復調方式で圧縮された信号をそれぞれパケット化するパケット化部１４ａと信号圧縮部１３ｅからのＰＣＭ方式で圧縮された信号をパケット化するパケット化部１４ｂから構成されている。
【００２７】
ＡＴＭセル化部１５は、複数のパケット化部１４で形成されたパケットでＡＴＭセルを形成し、該ＡＴＭセルを複数束ねて１つのＡＴＭコネクションに多重してＡＴＭ網に転送するものであるが、この場合に音声データのみを束ねたり、音声とＦＡＸを束ねる等のように組み合わせを自由に変えることができるというようにＳＴＭ網から入力される回線群を基に１つのＡＴＭコネクションへの多重化を行ったり、ＳＴＭ網から入力される信号を信号種別判定部１２で判定された信号種別を基に１つのＡＴＭコネクションに多重化することができる。すなわち、ＡＴＭセル化部１５は、１つのＡＴＭコネクションに多重してＡＴＭ網に転送する場合に、その多重する対象をＳＴＭ入力回線群単位の他、信号圧縮方式単位での多重等のようにＡＴＭコネクションに多重する方法を複数有し、この複数の多重化方法を変更できるようにしている。
【００２８】
また、受信側装置のデパケット化部２２は、パケット化部１４に対応するようにデパケット化部２２ａとデパケット化部２２ｂを有し、更に信号圧縮復元部２４は信号圧縮部１３に対応するようにＡＤＰＣＭ方式、ＬＤ−ＣＥＬＰ方式、ＣＳ−ＡＣＥＬＰ方式、Ｍｏｄｅｍ復調方式、ＰＣＭ方式で圧縮された信号をそれぞれ復元する信号圧縮復元部２４ａ，２４ｂ，２４ｃ，２４ｄ，２４ｅを有する。
【００２９】
信号圧縮方式判定部２３は、ＡＴＭセル内で短い可変長パケットの信号種別を判定するのに、可変長のパケットのパケット長に基づいてパケットの信号圧縮方式を判別している。すなわち、送信側装置のパケット化部１４では、使用データによってパケット長が異なるパケットを使用しているので、このパケット長を検出することによりパケットの信号圧縮方式を識別することができるのである。
【００３０】
次に、図３および図４に示すフローチャートを参照して、以上のように構成される本実施形態の作用について説明する。
【００３１】
まず、図３を参照して、図１の送信側装置の作用について説明する。図１の送信側装置においてＳＴＭ網から入力される１つまたは複数の音声、ＦＡＸ、音声データ、およびＩＳＤＮディジタル信号は、無音検出部１１、信号種別判定部１２および信号圧縮部１３に供給され、無音検出部１１において該信号の中の無音部分が検出され、この無音情報がパケット化部１４に通知され、パケット化部１４に無音情報が蓄積される（ステップＳ１１）。また、信号種別判定部１２において、信号の種別が判定され、この判定された信号種別情報がパケット化部１４に通知され、パケット化部１４はこの通知された信号種別情報を蓄積する（ステップＳ１３）。この信号種別判定部１２における信号種別処理では、まずＳＴＭ網からの信号が音声帯域信号であるかまたはＩＳＤＮディジタル信号であるかを判定し、音声帯域信号であると識別した場合には該音声帯域信号の信号種別を判定している。
【００３２】
更に、信号圧縮部１３においては、無音検出部１１で検出された無音情報および信号種別判定部１２で判定された信号種別情報を使用して、前記入力信号の圧縮方式を最適な圧縮方式に通信の途中で動的に変更し、この圧縮方式で前記入力信号を圧縮し、この圧縮されたデータがパケット化部１４に入力されパケット化されて蓄積される（ステップＳ１５）。信号圧縮部１３における信号圧縮は、複数の信号圧縮部１３ａ，１３ｂ，１３ｃ，１３ｄ，１３ｅによってそれぞれＡＤＰＣＭ方式、ＬＤ−ＣＥＬＰ方式、ＣＳ−ＡＣＥＬＰ方式、Ｍｏｄｅｍ復調方式、ＰＣＭ方式の信号圧縮方式を使用して信号の圧縮を行うようになっている。
【００３３】
また、パケット化部１４は、信号圧縮方式の判別処理（ステップＳ１７）において、信号種別判定部１２からの信号種別情報に基づいてステップＳ１５で蓄積したデータの信号圧縮方式を判別する。この信号圧縮方式は、上述したＡＤＰＣＭ方式、ＬＤ−ＣＥＬＰ方式、ＣＳ−ＡＣＥＬＰ方式、Ｍｏｄｅｍ復調方式、およびＰＣＭ方式である。
【００３４】
ＡＤＰＣＭ方式データの処理（ステップＳ１９）では、蓄積された無音および有音情報と照らし合わせ、無音区間の終了時を検出し、蓄積されている連続データを事前に設定されているデータ長（例えば、１１オクテット）に区切り、パケット化を実施する。その後に蓄積される連続データに対しても、同一のデータ長に区切り、パケット化を実施する。また、ＡＡＬ２パケット等のショートパケットのヘッダに有音の最初である情報を付与した後、ＡＴＭセル化部１５に送出する。また、有音および無音情報と照らし合わせて、パケット化されたデータ区間内がすべて無音である場合には、そのパケットは破棄する。更に、パケット化したデータが有音であった場合には、直前のシーケンスカウンタの値に１加算して、ショートパケットのヘッダに付与した後、ＡＴＭセル化部１５に送出する。
【００３５】
また、ＬＤ−ＣＥＬＰ方式データの処理（ステップＳ２１）は、ステップＳ１９におけるＡＤＰＣＭ方式データの処理と同様であるが、パケット化はＬＤ−ＣＥＬＰ方式のパケット長（５オクテット）×ｎ（ｎ＝正の整数）とする。
【００３６】
更に、ＣＳ−ＡＣＥＬＰ方式データの処理（ステップＳ２３）は、ステップＳ１９におけるＡＤＰＣＭ方式データの処理と同様であるが、パケット化はＣＳ−ＡＣＥＬＰ方式のパケット長（１０オクテット）×ｎ（ｎ＝正の整数）とする。
【００３７】
Ｍｏｄｅｍ復調方式データの処理（ステップＳ２５）およびＰＣＭ方式データの処理（ステップＳ２７）では、ステップＳ１９におけるＡＤＰＣＭ方式データの処理と同様な処理である。
【００３８】
以上のようにして、パケット化部１４で生成されたパケット、すなわちＡＡＬ２パケット等のショートパケットは、ＡＴＭセル化部１５で受信され蓄積される（ステップＳ２９）。この蓄積されたショートパケットに対してＡＴＭセル化部１５でＡＴＭ多重方式判定処理（ステップＳ３１）が行われる。このＡＴＭ多重方式判定処理では、前記蓄積されたショートパケットに対し、事前に１つだけ設定されている複数種類のＡＴＭセルへのマッピング方法であるＳＴＭ入力回線群別／信号圧縮方式別を参照し、ＡＴＭセルへのショートパケットのマッピング方法を判定し（ステップＳ３１）、この判定結果がＳＴＭ入力回線群別の場合には、ＳＴＭ入力回線群判定処理（ステップＳ３３）を行い、また信号圧縮方式別の場合には、信号圧縮方式判定処理（ステップＳ４１）を行う。
【００３９】
ＳＴＭ入力回線群別の場合のＳＴＭ入力回線群判定処理では、ステップＳ２９で蓄積されたショートパケットに対し、その対象となる回線群に設定されているＡＴＭコネクション情報を参照して、対応するＡＴＭコネクションを判定する（ステップＳ３５）。それから、蓄積されているショートパケットに対し、ステップＳ３１で判定したＳＴＭ網の入力回線群単位に、対応する１つのＡＴＭコネクション上のＡＴＭセルのペイロードにファーストイン・ファーストアウトでマッピングし（ステップＳ３７）、更にこのようにマッピングされ、ＡＴＭセル内のペイロードがすべて塞がった後、ＡＴＭ網に対し、ＡＴＭセルを送出する（ステップＳ３９）。また、ＡＴＭセル内のペイロードがすべて塞がっていない場合でも、１つのＡＴＭセル内でショートパケットが初めてマッピングされた時からタイマを起動し、該タイマが満了した場合に、データがマッピングされていないＡＴＭセル内のペイロードに無効データを付与し、ＡＴＭ網に転送する（ステップＳ３９）。
【００４０】
一方、信号圧縮方式別の場合の信号圧縮方式判定処理では、ステップＳ２９で蓄積されたショートパケットに対し、その対象となる信号圧縮方式に設定されているＡＴＭコネクション情報を参照して、対応するＡＴＭコネクションを判定する（ステップＳ４３）。それから、蓄積されているショートパケットに対し、ステップＳ３１で判定した信号圧縮方式を基に、対応する１つのＡＴＭコネクション上のＡＴＭセルのペイロードにファーストイン・ファーストアウトでマッピングし（ステップＳ４５）、更にこのようにマッピングされ、ＡＴＭセル内のペイロードがすべて塞がった後、ＡＴＭ網に対し、ＡＴＭセルを送出する（ステップＳ４７）。また、ＡＴＭセル内のペイロードがすべて塞がってない場合でも、１つのＡＴＭセル内でショートパケットが初めてマッピングされた時からタイマを起動し、該タイマが満了した場合に、データがマッピングされていないＡＴＭセル内のペイロードに無効データを付与し、ＡＴＭ網に転送する（ステップＳ４７）。
【００４１】
次に、図４を参照して、図２の受信側装置の作用について説明する。図２の受信側装置においてＡＴＭ網から入力されるＡＴＭセルは、ＡＴＭセル分解部２１で受信されて、５３バイトのＡＴＭセルからショートパケットに分解される（ステップＳ５１）。それから、このように分解されたショートパケットのショートパケットコネクション識別子フィールドの値に従い、そのショートパケットコネクション識別子の値と予め指定されているＳＴＭ側の回線に１対１に対応する回線（例えば、ショートパケット識別子１＝ＳＴＭ側回線番号１、ショートパケット識別子値２＝ＳＴＭ側回線番号２、・・・）のデパケット化部２２に転送される（ステップＳ５３）。
【００４２】
デパケット化部２２は、ＡＴＭセル分解部２１から転送されてきたショートパケットを受信して蓄積する（ステップＳ５５）。それから、このショートパケットに対し、ショートパケットヘッダのＵＵＩフィールド値により、連続データの最初のパケット、または連続データの途中のパケットを検出する（ステップＳ５７）。
【００４３】
このパケットの検出方法は、詳しくは、ＡＴＭ網に転送する送信側において、パケット化部１４が、無音検出部１１で検出した無音区間を削減し、有音区間のみをパケット化してＡＴＭセル化部１５に送出するとともに、この送出においてはショートパケットのヘッダに０から７のシーケンスカウンタを使用し、有音区間の最初のショートパケットには０を使用し、その後の連続するショートパケットには１から７を繰り返し使用し、この１から７は無音区間が発生するまで継続し、無音区間が発生した場合は、シーケンスカウンタをリセットし、次の有音区間の最初のショートパケットには０を使用し、また１から７の繰り返しで使用し、それからＡＴＭセルの受信側において、無音区間が削除され、有音区間のみがショートパケット化されて送られ、ＡＴＭセル内のショートパケットの受信処理においては該ショートパケットのヘッダ内にあるシーケンスカウンタ値を検出し、該シーケンスカウンタ値が０の場合には、有音区間の最初のパケットであることを検出し、シーケンスカウンタ値が１から７の繰り返しである場合には、有音区間の連続状態であることを検出することにより、有音区間の最初のショートパケットの検出および連続する有音のショートパケットが送信から受信の間に損失した場合にその損失したことを検出するとともに、この損失したショートパケットの数を検出するというように行われる。
【００４４】
それから、このように検出した連続パケットのシーケンスカウンタ値である無音情報を信号圧縮復元部２４および無音再生部２５に通知する（ステップＳ５９）。次に、デパケット化部２２は、ショートパケットヘッダを取り除き、残りの有効データパケットを信号圧縮方式判定部２３に送出する（ステップＳ６１）。
【００４５】
信号圧縮方式判定部２３は、デパケット化部２２から転送される有効データパケットを受信して蓄積する（ステップＳ６３）。それから、信号圧縮方式判定部２３は蓄積された有効データパケットのパケット長を検出する（ステップＳ６５）。そして、信号圧縮方式判定部２３は、信号圧縮復元部２４内の各種音声圧縮方式であるＡＤＰＣＭ方式、ＬＤ−ＣＥＬＰ方式、ＣＳ−ＡＣＥＬＰ方式、Ｍｏｄｅｍ復調方式、ＰＣＭ方式の個々に一意に定まるパケット長（ｎオクテット（ｎ＝正の整数）：例えば、ＡＤＰＣＭ方式では１１オクテット、ＬＤ−ＣＥＬＰ方式では５オクテット、ＣＳ−ＡＣＥＬＰ方式では１０オクテット、Ｍｏｄｅｍ復調方式では９オクテット、ＰＣＭ方式では２０オクテット）と前記蓄積された有効データおよびそのパケット長とを対応させて、蓄積されている有効データパケットの信号圧縮復元方式を判定する（ステップＳ６７）。
【００４６】
信号圧縮方式判定部２３は、このように判定した信号圧縮復元方式に対応する信号圧縮復元部２４ａ〜２４ｅに前記有効データパケットを送出する（ステップＳ６９）。信号圧縮復元部２４の各信号圧縮復元部２４ａ〜２４ｅは、それぞれＡＤＰＣＭ方式、ＬＤ−ＣＥＬＰ方式、ＣＳ−ＡＣＥＬＰ方式、Ｍｏｄｅｍ復調方式、ＰＣＭ方式の信号圧縮復元方式で有効データの復元処理を行い（ステップＳ７１）、無音再生部２５に供給する。無音再生部２５では、信号圧縮復元部２４で復元されたデータに対してステップＳ５９でデパケット化部２２から通知された無音情報に基づいて無音を再生し、ＳＴＭ信号としてＳＴＭ網に転送する（ステップＳ７３）。
【００４７】
【発明の効果】
以上説明したように、本発明によれば、送信側のＡＴＭセル多重においてＳＴＭ網から入力された信号に対し、信号種別判定結果をＡＴＭセル多重化手段に通知し、この通知された信号種別を基にＡＴＭセルに多重するので、入力信号種別毎に多重を可能とし、信号種別毎に品質が異なるＳＴＭ信号をＡＴＭ網内にて品質等が同一の入力信号のみを多重した１つのＡＴＭコネクションとして扱うことができるとともに、通信に要する伝送路帯域を削減し、ＡＴＭセル化遅延時間を低減することができる。更に、送信側においてＳＴＭ網の回線に対応した回線番号識別子を付与することにより、受信側で受信したＡＴＭセルまたは可変長信号パケットからＡＴＭ網側の対応する回線を識別することができる。
【００４８】
また、本発明によれば、ＡＴＭ網から受信したＡＴＭセル内の可変長パケットのパケット長に基づいて送信側で適用された信号圧縮方式を判別するので、予め可変長パケットのパケット長と信号圧縮方式とを対応させることにより、送信側の設備が適用した信号圧縮方式を判別することができ、従ってＡＴＭセル内に信号圧縮方式を識別するための識別子が不要となり、ＡＴＭセル内のペイロード使用効率を向上することができる。
【００４９】
更に、本発明によれば、ＳＴＭ入力回線単位および信号圧縮方式単位での多重化を含むＡＴＭコネクションへの多重化方法を複数有し、この複数の多重化方法を自由に変更することができる。
【図面の簡単な説明】
【図１】本発明の一実施形態に係るＡＴＭ音声帯域信号およびＩＳＤＮディジタル信号の転送方式を適用した送信側装置の構成を示すブロック図である。
【図２】本発明の一実施形態に係るＡＴＭ音声帯域信号およびＩＳＤＮディジタル信号の転送方式を適用した受信側装置の構成を示すブロック図である。
【図３】図１に示す送信側装置の作用を示すフローチャートである。
【図４】図２に示す受信側装置の作用を示すフローチャートである。
【符号の説明】
１１  無音検出部
１２  信号種別判定部
１３  信号圧縮部
１４  パケット化部
１５  ＡＴＭセル化部
２１  ＡＴＭセル分解部
２２  デパケット化部
２３  信号圧縮方式判定部
２４  信号圧縮復元部
２５  無音再生部
【図１】
0003550013.tif 000002
【図２】
0003550013.tif 000003
【図３】
0003550013.tif 000004
【図４】
0003550013.tif 000005